(57)【要約】【課題】ユーザが広告に確実に注意を傾けている状況にあることを検出した上で、広告を配信する広告提供状態変更システム、及び広告提供状態変更方法を提供すること。【解決手段】広告提供状態変更システムＳ１は、端末２において提供される広告情報の提供状態を変更する広告提供状態変更システムであって、端末２に対する被検体の遠近を検知する検知部材からの検知信号を取得する検知信号取得手段と、検知信号に基づき、端末への広告情報の提供状態を変更する変更手段と、を有する。【選択図】図１
2015004726.tif 000002
【特許請求の範囲】
【請求項１】
端末において提供される広告情報の提供状態を変更する広告提供状態変更システムであって、
前記端末に対する被検体の遠近を検知する検知部材からの検知信号を取得する検知信号取得手段と、
前記検知信号に基づき、前記端末への前記広告情報の提供状態を変更する変更手段と、
を有する広告提供状態変更システム。
【請求項２】
電話接続の呼出信号を取得する呼出信号取得手段を有し、
前記変更手段が、前記検知信号及び前記呼出信号に基づき、前記提供状態を音声広告の提供へと変更する、請求項１に記載の広告提供状態変更システム。
【請求項３】
前記検知信号取得手段が前記端末の近傍に前記被検体を検知したことを示す近接信号を取得し、且つ、前記呼出信号取得手段が前記呼出信号を取得した場合に、
前記変更手段が、前記近接信号及び前記呼出信号に基づき、音声広告を再生するよう前記提供状態を変更する、請求項２に記載の広告提供状態変更システム。
【請求項４】
前記検知信号取得手段が、前記端末の近傍に前記被検体を検知できないことを示す遠隔信号を取得した場合に、
前記変更手段が、前記遠隔信号及び前記呼出信号に基づき、前記音声広告の再生音量を調節する、請求項２に記載の広告提供状態変更システム。
【請求項５】
前記呼出信号取得手段が取得する前記呼出信号が途絶えた場合に、
前記変更手段が、前記音声広告の再生を終了する、請求項２から請求項４のいずれか１項に記載の広告提供状態変更システム。
【請求項６】
前記呼出信号の取得開始から、前記呼出信号が途絶えるまでの音声広告再生時間を取得する再生時間取得手段を有する、請求項５に記載の広告提供状態変更システム。
【請求項７】
前記変更手段が、前記検知信号に基づき、前記提供状態を画面表示広告の提供へと変更する、請求項１に記載の広告提供状態変更システム。
【請求項８】
前記検知信号取得手段が、前記端末の近傍に前記被検体を検知できないことを示す遠隔信号を取得した場合に、
前記変更手段が、前記遠隔信号に基づき、画面表示広告を表示するよう前記提供状態を変更する、請求項７に記載の広告提供状態変更システム。
【請求項９】
前記検知信号取得手段が、前記端末の近傍に前記被検体を検知したことを示す近接信号を取得した場合に、
前記変更手段が、前記近接信号に基づき、前記画面表示広告の表示を解除するよう前記提供状態を変更する、請求項７に記載の広告提供状態変更システム。
【請求項１０】
既に画面表示広告が表示されており、且つ、前記検知信号取得手段が、前記端末の近傍に前記被検体を検知できないことを示す遠隔信号を取得した場合に、
前記変更手段が、前記遠隔信号に基づき、既に表示されている前記画面表示広告を強調するよう前記提供状態を変更する、請求項７に記載の広告提供状態変更システム。
【請求項１１】
端末において提供される広告情報の提供状態を変更する広告提供状態変更システムに、
前記端末に対する被検体の遠近を検知する検知部材からの検知信号を取得する検知信号取得ステップと、
前記検知信号に基づき、前記端末への前記広告情報の提供状態を変更する変更ステップと、を実行させる広告提供状態変更方法。
【発明の詳細な説明】
【技術分野】
【０００１】
本発明は、広告提供状態変更システム、及び広告提供状態変更方法に関する。
【背景技術】
【０００２】
従来、画像広告に代わり、音声広告を配信し、ユーザ端末で音声広告を再生させる方法が提案されている（例えば、特許文献１を参照）。
【先行技術文献】
【特許文献】
【０００３】
【特許文献１】特開２００１−２８５５２５号公報
【発明の概要】
【発明が解決しようとする課題】
【０００４】
ユーザ端末で音声広告を再生させても、必ずしもユーザがその音声広告に耳を傾けているとは限らない。広告主にとって、ユーザが音声広告に耳を傾けることが広告効果の向上に繋がる。
【０００５】
出願人は、広告を配信したとしても、ユーザが広告に注意を傾けていない可能性があるとの課題に対し、ユーザが広告に確実に注意を傾けている状況にあることを検知し、それに基づき、適切な方法で広告を配信する新たな方策を提案するに至った。
【０００６】
本発明は、上記の事項に鑑みてなされたもので、ユーザが広告に確実に注意を傾けている状況にあることを検出した上で、広告を配信する広告提供状態変更システム、及び広告提供状態変更方法を提供することを例示的課題とする。
【課題を解決するための手段】
【０００７】
上記課題を解決するために、本発明の例示的側面としての広告提供状態変更システムは、端末において提供される広告情報の提供状態を変更する広告提供状態変更システムであって、端末に対する被検体の遠近を検知する検知部材からの検知信号を取得する検知信号取得手段と、検知信号に基づき、端末への広告情報の提供状態を変更する変更手段と、を有する。
【０００８】
本発明の他の例示的側面としての広告提供状態変更方法は、端末において提供される広告情報の提供状態を変更する広告提供状態変更システムに、端末に対する被検体の遠近を検知する検知部材からの検知信号を取得する検知信号取得ステップと、検知信号に基づき、端末への広告情報の提供状態を変更する変更ステップと、を実行させる。
【０００９】
本発明の更なる目的又はその他の特徴は、以下添付図面を参照して説明される好ましい実施の形態によって明らかにされるであろう。
【発明の効果】
【００１０】
本発明によれば、ユーザが広告に確実に注意を傾けている状況にあることを検出した上で、広告を配信することができる。
【図面の簡単な説明】
【００１１】
【図１】実施形態１に係る広告提供状態変更システムＳ１の全体構成図である。
【図２Ａ】端末２の外部構成の概略を示す模式図である。
【図２Ｂ】端末２の内部構成の概略を示すブロック図である。
【図３】広告提供状態変更システムＳ１による変更プロセスについて説明するフローチャートである。
【図４】実施形態２に係る広告提供状態変更システムの全体構成図である。
【図５】端末２２の内部構成の概略を示すブロック図である。
【実施するための形態】
【００１２】
本発明の広告提供状態変更システムは、端末において提供される広告情報の提供状態を変更するものである。本発明は、広告情報の提供状態として、音声広告の提供と、画面表示広告の提供と、の２つの提供状態に関するものである。以下、音声広告の提供に関する実施形態（実施形態１）、及び画面表示広告の提供に関する実施形態（実施形態２）について、順に説明する。
【００１３】
［実施形態１］
実施形態１に係る広告提供状態変更システムＳ１を、添付図面を用いて説明する。図１は、実施形態１に係る広告提供状態変更システムＳ１の全体構成図である。広告提供状態変更システムＳ１は、端末２、広告配信装置６、広告主サーバ８がインターネットＷを介して接続されて構成される。
【００１４】
＜端末２＞
端末２は、ユーザが所有、使用、又は管理する端末であり、例えば、携帯電話、スマートフォン等が適用可能である。端末２は、インターネットＷに直接又は間接に接続され、インターネットＷを介して、広告配信装置６等と通信可能である。
【００１５】
図２Ａは、端末２の外部構成の概略を示す模式図である。図２Ａは、一例として、電話接続呼出中である場合の表示画面２ａを示している。端末２は、通話先の音声を出力するスピーカ２ｂと、ユーザが発した音声を受信するマイク２ｃと、を備える。端末２は、更に、端末２に対する被検体の遠近を検知する検知部材として、近接センサー２ｄを備える。端末２は、キーボード等の入力手段を有していても良く、キーボードはソフトウェアキーボードであってもよい。
【００１６】
端末２においては、例えば、インターネットブラウザ等のアプリケーションプログラムを用いることにより、インターネットＷを介して広告配信装置６より送信され、所定のページレイアウト内の広告表示領域２ｅに配置された広告情報Ｈを表示画面２ａに表示することができるようになっている。
【００１７】
端末２は、音声電話接続が可能である。ユーザは、例えば、スピーカ２ｂ部分を耳に当て、マイク２ｃに向かって発声することで、音声通話が可能である。
【００１８】
近接センサー２ｄは、被検体との遠近を無接触で検出可能なセンサーである。近接センサー２ｄは、例えば、ユーザが通話するために端末２のスピーカ２ｂ部分をユーザの耳に近づけた際、ユーザの側頭部や耳等を検知することができる。
【００１９】
図２Ｂは、端末２の内部構成の概略を示すブロック図である。端末２は、内部に演算処理装置２ｐ及びメモリ２ｍを有する。
【００２０】
端末２は、検知信号取得手段Ｐ１と、呼出信号取得手段Ｐ２と、変更手段Ｐ３と、を有する。端末２内部のメモリ２ｍには、これら各手段として演算処理装置（ＣＰＵ）２ｐを機能させるプログラムＰｄ１が格納されている。以下、プログラムＰｄ１によって演算処理装置が発揮する各機能について説明する。
【００２１】
＜検知信号取得手段Ｐ１＞
検知信号取得手段Ｐ１は、端末に対する被検体の遠近を検知する検知部材からの検知信号を取得する機能を有する。検知信号取得手段Ｐ１は、通常、端末２が有するが、端末２と被検体との遠近を検知する検知部材２ｄからの検知信号を取得することが可能な限り、どのような構成を有していても良い。検知信号取得手段Ｐ１が取得した検知信号は、変更手段Ｐ３において使用される。
【００２２】
ここで、被検体とは、通常、ユーザの側頭部又は耳等を意味する。すなわち、被検体の遠近とは、ユーザの側頭部又は耳等と端末２の間の距離の長短を意味する。端末２の近傍に被検体を検知するとは、ユーザが端末２を耳にかざし、端末２に備えられたスピーカ等から出力される音声を聴くことができる状況にあることを意味する。この状況で検知部材が出力する検知信号が近接信号である。端末２の近傍に被検体を検知できないとは、ユーザが端末２を耳にかざしておらず、端末２からの音声が聞こえ難い状況にあることを意味する。この状況で検知部材が出力する検知信号が遠隔信号である。
【００２３】
＜呼出信号取得手段Ｐ２＞
呼出信号取得手段Ｐ２は、電話接続の呼出信号を取得する機能を有する。呼出信号取得手段Ｐ２は、通常、端末２が有するが、端末２の電話接続の呼出信号を取得することが可能な限り、どのような構成を有していても良い。呼出信号取得手段Ｐ２が取得した呼出信号は、変更手段Ｐ３において使用される。
【００２４】
＜変更手段Ｐ３＞
変更手段Ｐ３は、検知信号及び呼出信号に基づき、音声広告の提供状態を変更する機能を有する。具体的には、検知信号として近接信号が取得され、且つ、呼出信号が取得された場合、変更手段Ｐ３は、音声広告を再生するよう提供状態を変更する。この音声広告は、呼出音の代わりにスピーカ２ｂより出力される。電話接続呼出中であり、且つ、ユーザが端末２を耳にかざしている状況では、ユーザが音声広告に注意を傾けている可能性が極めて高く、印象に残りやすい。このような音声広告は、画面表示のみの広告や、街頭やテレビコマーシャル等の他の音声広告よりも広告効果が飛躍的に向上すると考えられる。
【００２５】
再生される音声広告の内容としては、例えば、広告配信装置６から配信される音声広告情報を再生することができる。検知信号取得手段Ｐ１が近接信号を取得する時点において、画面表示広告が表示されていた場合、この画面表示広告に関連した音声広告を再生することができる。画面表示広告に関連した音声広告とは、例えば、特定の画面表示広告に対して予め設定された音声広告であっても良く、画面表示広告中の広告文句や商品名等を読み上げるものであっても良い。
【００２６】
変更手段Ｐ３は、検知信号取得手段Ｐ１が遠隔信号を取得した場合に、遠隔信号及び呼出信号に基づき、音声広告の再生音量を大小調節させる機能を有していても良い。例えば、ユーザが電話接続呼出中に、端末２を耳にかざしていなかった場合、音声広告の音量を大きくすることにより、音声広告が再生されていることを認識させ、耳にかざすよう誘導することが可能である。また、ユーザが電話接続呼出中に、端末２を耳にかざしていない場合に、音声広告の再生音量を小さくすることにより、電力消費量を抑制することも可能である。
【００２７】
電話接続先の相手ユーザが電話に出る等して、呼出信号が途絶えた場合には、変更手段Ｐ３は、音声広告の再生を終了するよう提供状態を変更することが好ましい。電話接続が確立され、通話が開始された後も音声広告が再生され続けると、通話に支障をきたす可能性があるためである。
【００２８】
変更手段Ｐ３は、通話が終了し、電話接続が遮断される、即ち、電話接続信号が途絶えた場合に、音声広告を再生するよう提供状態を変更する機能を有していても良い。また、変更手段Ｐ３は、通話が終了し、終話ボタンが押下された場合に、音声広告を再生するよう提供状態を変更する機能を有していても良い。上述の通話終了後に再生する音声広告は、呼出中に再生される音声広告と同じものであることが好ましい。これにより、音声広告の内容をユーザに印象づけることができ、広告効果が向上する。
【００２９】
変更手段Ｐ３は、音声広告に限らず、画面表示広告を表示画面２ａに表示させる機能を有していても良い。例えば、通話終了後、ユーザが終話ボタンを押した場合に、画面表示広告を表示させる、又は、既に表示されている画面表示広告を強調させる機能を有していても良い。ここで表示される、又は強調される画面表示広告は、呼出中に再生される音声広告に関連するものであることが好ましい。これにより、音声広告、及び画面表示広告の内容をユーザに印象づけることができ、広告効果が向上する。
【００３０】
＜その他の手段＞
広告提供状態変更システムＳ１は、上記各手段以外にも、各種手段を有していても良い。例えば、呼出信号の取得開始から、呼出信号が途絶えるまでの音声広告再生時間を取得する再生時間取得手段を有していても良い。再生時間取得手段により、ユーザが音声広告を聴いていた時間を推定することが可能となり、広告効果の判定精度を向上させることが可能である。即ち、再生時間取得手段により、広告主に対し、再生時間に応じて課金したり、一定時間以上の再生を１インプレッションと判定して、インプレッション数に応じて課金したりすることが可能である。ここで、インプレッション数とは、画面表示広告の場合、その画面表示広告が表示される回数のことである。
【００３１】
＜広告配信装置６＞
広告配信装置６は、端末２の変更手段Ｐ３において再生される音声広告情報を提供する機能を有する。広告配信装置６は、音声広告だけでなく、画面表示広告を提供しても良い。
【００３２】
＜広告主サーバ８＞
広告主サーバ８は、端末２からのリクエストに応じて、端末２に向けて商品等の詳細情報を提供する機能を有する。広告主サーバ８は、内部に広告主サイトを構築するサイトページを有しており、そのサイトページに商品等の詳細情報が掲載されている。
【００３３】
端末２に表示された広告情報がバナー広告等の広告であり、その広告に広告主サーバ８へのリンク情報が埋め込まれていると、端末２で広告をクリック（選択）した場合に、端末２から広告主サーバ８へとリクエスト信号が送信される。そのリクエスト信号に応じて、広告主サーバ８は商品等の詳細情報を掲載したサイトページの情報を端末２に向けて送信する。端末２の表示画面に、広告主サーバ８のサイトページが表示されて、端末２のユーザに商品等の詳細情報が提供される。
【００３４】
＜変更プロセス＞
広告提供状態変更システムＳ１による変更プロセスについて、図３のフローチャートを用いて説明する。
【００３５】
端末２の検知部材によって検知された、被検体との遠近を示す検知信号は、検知信号取得手段Ｐ１を介し、変更手段Ｐ３により判断される（ｓ１）。検知信号が、被検体が近接していることを示す近接信号であった場合（Ｙ）、呼出信号取得手段Ｐ２により呼出信号の有無が取得され、変更手段Ｐ３により判断される（ｓ２）。呼出信号が確認された場合（Ｙ）、変更手段Ｐ３は、広告情報の提供手段を音声広告の提供へと変更する（ｓ３）。（ｓ１）の判断において、検知信号が、被検体が近接していないことを示す遠隔信号であった場合（Ｎ）、また、（ｓ２）の判断において、呼出信号が確認されなかった場合（Ｎ）、変更手段Ｐ３による広告情報の提供状態の変更は行われない。なお、（ｓ１）の判断において、検知信号が遠隔信号であった場合（Ｎ）は、本願発明の実施形態２に相当し、後述するように、変更手段Ｐ２３により、広告情報の提供状態は、画面表示広告の提供へと変更される。
【００３６】
［変形例１］
上述の広告提供状態変更システムＳ１において、変更手段Ｐ３の機能を端末２が有している場合を説明したが、変更手段Ｐ３は、広告配信装置６が有していても良い。
【００３７】
広告配信装置６が変更手段Ｐ３を有している場合、広告配信装置６は内部に備えるメモリに、変更手段Ｐ３として広告配信装置６の演算処理装置（ＣＰＵ）を機能させるプログラムが格納されている。
【００３８】
広告配信装置６が変更手段Ｐ３を有している場合、上述の検知信号取得手段Ｐ１及び呼出信号取得手段Ｐ２により取得された検知信号及び呼出信号は、端末２から広告配信装置６へと送信される。この送信された検知信号及び呼出信号に基づき、広告配信装置６の変更手段Ｐ３は、音声広告の提供状態を適宜変更する。そして、変更された音声広告の提供状態の情報は端末２へ送信され、端末２により変更された音声広告が提供される。
【００３９】
［実施形態２］
実施形態２に係る広告提供状態変更システムＳ２を、添付図面を用いて説明する。実施形態２において、実施形態１と同様の構成については、同様の符号を付し、その説明を省略する。
【００４０】
図４は、実施形態２に係る広告提供状態変更システムＳ２の全体構成図である。広告提供状態変更システムＳ２は、端末２２、広告配信装置２６、広告主サーバ８がインターネットＷを介して接続されて構成される。実施形態２は、端末２が呼出信号取得手段Ｐ２を有さず、変更手段Ｐ３が呼出信号に基づくことなく画面表示広告の提供状態を変更するという点において、実施形態１と異なる。従って、端末２２及び広告配信装置２６の物理的構成は、実施形態１のものと同様であって良く、端末２２及び広告配信装置２６が有する手段が異なっているものであるため、物理的構成については、ここでは詳細な説明を省略する。広告主サーバ８についても、構成及び機能が実施形態１で説明したものと略同様であるため、ここでは詳細な説明を省略する。
【００４１】
＜端末２２＞
図５は、端末２２の内部構成の概略を示すブロック図である。端末２２は、内部に演算処理装置２２ｐ及びメモリ２２ｍを有する。
【００４２】
端末２２は、検知信号取得手段Ｐ２１と、変更手段Ｐ２３と、を有する。端末２２内部のメモリ２２ｍには、これら各手段として演算処理装置（ＣＰＵ）２２ｐを機能させるプログラムＰｄ２１が格納されている。以下、プログラムＰｄ２１によって演算処理装置が発揮する各機能について説明する。
【００４３】
＜検知信号取得手段Ｐ２１＞
検知信号取得手段Ｐ２１は、端末２２に対する被検体の遠近を検知する検知部材からの検知信号を取得する機能を有する。検知信号取得手段Ｐ２１は、通常、端末２２が有するが、端末２２と被検体との遠近を検知する検知部材２２ｄからの検知信号を取得することが可能な限り、どのような構成を有していても良い。検知信号取得手段Ｐ２１が取得した検知信号は、変更手段Ｐ２３において使用される。
【００４４】
＜変更手段Ｐ２３＞
変更手段Ｐ２３は、検知信号に基づき、画面表示広告の提供状態を変更する機能を有する。具体的には、検知信号として遠隔信号が取得された場合、変更手段Ｐ２３は、画面表示広告を表示するよう提供状態を変更する。遠隔信号が検知部材より出力された場合、即ち、ユーザが端末２２を耳にかざしている等していない状況では、ユーザが表示画面２２ａを注視している可能性が高く、表示画面２２ａに表示される画面表示広告は印象に残りやすい。
【００４５】
変更手段Ｐ２３は、検知信号取得手段Ｐ１が近接信号を取得した場合に、近接信号に基づき、画面表示広告の表示を解除する機能を有していても良い。近接信号が出力されるということは、ユーザが端末２を耳にかざす等、表示画面２２ａを見ていない可能性が高く、画面表示広告による広告効果は低減すると考えられる。
【００４６】
変更手段Ｐ２３は、既に画面表示広告が表示されており、且つ、検知信号取得手段が遠隔信号を取得した場合に、遠隔信号に基づき、既に表示されている画面表示広告を強調するよう提供状態を変更する機能を有していても良い。
【００４７】
ここで、画面表示広告を強調するとは、既に表示中の画面表示広告に対して、表示内容を補正し、表示中の状態よりも目立たせることを意味する。具体的には、例えば、画面表示広告がバナー広告である場合、当該バナー広告を拡大表示させることや、点滅させること、色を変えて表示させること、ポップアップ表示させること、アニメーション表示させること等であっても良い。
【００４８】
また、画面表示広告を強調するために、この画面表示広告に関連した音声広告を再生しても良い。更に、変更手段Ｐ２３は、検知信号取得手段Ｐ２１が検知していた遠隔信号が近接信号へと変化した場合、その変化に応じて、画面表示広告の表示を音声広告の再生へと提供状態を変更する機能を有していても良い。
【００４９】
画面表示広告に関連した音声広告とは、例えば、特定の画面表示広告に対して予め設定された音声広告であっても良く、画面表示広告中の広告文句や商品名等を読み上げるものであっても良い。ここで、特定の画面表示広告に対して予め設定された音声広告とは、特定の画面表示広告に予め関連付けられた音声広告であっても良く、例えば、広告主が画面表示広告と共に提供する音声広告であっても良い。音声広告と、特定の画面表示広告と、はデータベース化された画面表示−音声広告データベースに格納されていても良い。画面表示−音声広告データベースは、例えば、広告配信装置２６に記憶しておくことができる。
【００５０】
変更手段Ｐ２３は、特定の画面表示広告が表示されている状態で検知信号取得手段Ｐ２１が検知していた遠隔信号が近接信号へと変化した際、当該特定の画面表示広告を特定する情報を広告配信装置２６へと送信し、広告配信装置２６の画面表示−音声広告データベースから選択された当該特定の画面表示広告に対応する音声広告情報を広告配信装置２６から取得する機能を有していても良い。変更手段Ｐ２３がこのような機能を有することにより、例えば、特定の画面表示広告が表示されている状態で、ユーザが端末２２を耳にかざした際、表示画面２２ａにおける画面表示広告の表示の代わりに、その画面表示広告に対応している音声広告をスピーカ等から再生することが可能となる。
【００５１】
［変形例２］
上述の広告提供状態変更システムＳ２において、変更手段Ｐ２３の機能を端末２２が有している場合を説明したが、変更手段Ｐ２３は、広告配信装置２６が有していても良い。
【００５２】
広告配信装置２６が変更手段Ｐ２３を有している場合、広告配信装置２６は内部に備えるメモリに、変更手段Ｐ２３として広告配信装置２６の演算処理装置（ＣＰＵ）を機能させるプログラムが格納されている。
【００５３】
広告配信装置２６が変更手段Ｐ２３を有している場合、上述の検知信号取得手段Ｐ２１により取得された検知信号は、端末２２から広告配信装置２６へと送信される。この送信された検知信号及び呼出信号に基づき、広告配信装置２６の変更手段Ｐ２３は、画面表示広告の提供状態を適宜変更する。そして、変更された画面表示広告の提供状態の情報は端末２２へ送信され、表示画面２２ａに変更された画面表示広告が表示される。
【００５４】
以上、本発明の実施の形態を説明したが、本発明はこれに限定されることなく、その要旨の範囲内で様々な変形や変更が可能である。
【００５５】
本発明は、以下の趣旨をも含む。
【００５６】
広告提供状態変更システムは、端末において提供される広告情報の提供状態を変更する広告提供状態変更システムであって、端末に対する被検体の遠近を検知する検知部材からの検知信号を取得する検知信号取得手段と、検知信号に基づき、端末への広告情報の提供状態を変更する変更手段と、を有する。
【００５７】
電話接続の呼出信号を取得する呼出信号取得手段を有し、変更手段が、検知信号及び呼出信号に基づき、提供状態を音声広告の提供へと変更することが好ましい。
【００５８】
検知信号取得手段が端末の近傍に被検体を検知したことを示す近接信号を取得し、且つ、呼出信号取得手段が呼出信号を取得した場合に、変更手段が、近接信号及び呼出信号に基づき、音声広告を再生するよう提供状態を変更することが更に好ましい。
【００５９】
検知信号取得手段が、端末の近傍に被検体を検知できないことを示す遠隔信号を取得した場合に、変更手段が、遠隔信号及び呼出信号に基づき、音声広告の再生音量を調節するものであっても良い。
【００６０】
呼出信号取得手段が取得する呼出信号が途絶えた場合に、変更手段が、音声広告の再生を終了するものであっても良い。
【００６１】
呼出信号の取得開始から、呼出信号が途絶えるまでの音声広告再生時間を取得する再生時間取得手段を有するものであっても良い。
【００６２】
変更手段が、検知信号に基づき、提供状態を画面表示広告の提供へと変更することも好ましい。
【００６３】
検知信号取得手段が、端末の近傍に被検体を検知できないことを示す遠隔信号を取得した場合に、変更手段が、遠隔信号に基づき、画面表示広告を表示するよう提供状態を変更することも好ましい。
【００６４】
検知信号取得手段が、端末の近傍に被検体を検知したことを示す近接信号を取得した場合に、変更手段が、近接信号に基づき、画面表示広告の表示を解除するよう提供状態を変更するものであっても良い。
【００６５】
既に画面表示広告が表示されており、且つ、検知信号取得手段が、端末の近傍に被検体を検知できないことを示す遠隔信号を取得した場合に、変更手段が、遠隔信号に基づき、既に表示されている画面表示広告を強調するよう提供状態を変更するものであっても良い。
【００６６】
広告提供状態変更方法は、端末において提供される広告情報の提供状態を変更する広告提供状態変更システムに、端末に対する被検体の遠近を検知する検知部材からの検知信号を取得する検知信号取得ステップと、検知信号に基づき、端末への広告情報の提供状態を変更する変更ステップと、を実行させる。
【符号の説明】
【００６７】
広告情報：Ｈ
検知信号取得手段：Ｐ１，Ｐ２１
呼出信号取得手段：Ｐ２
変更手段：Ｐ３，Ｐ２３
プログラム：Ｐｄ１
広告提供状態変更システム：Ｓ１，Ｓ２
インターネット：Ｗ
端末：２，２２
表示画面：２ａ，２２ａ
スピーカ：２ｂ，２２ｂ
マイク：２ｃ
近接センサー（検知部材）：２ｄ，２２ｄ
広告表示領域：２ｅ
演算処理装置（ＣＰＵ）：２ｐ，２２ｐ
メモリ：２ｍ，２２ｍ
広告配信装置：６，２６
広告主サーバ：８
【図１】
2015004726.tif 000003
【図２Ａ】
2015004726.tif 000004
【図２Ｂ】
2015004726.tif 000005
【図３】
2015004726.tif 000006
【図４】
2015004726.tif 000007
【図５】
2015004726.tif 000008